【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
下記の成分を含む潤滑油組成物：
（Ａ）主要量の潤滑粘度の油、
（Ｂ）（ｉ）ジ−アルキルジ−チオリン酸の炭化水素アミン塩と（ii）酸性リン酸アルキルの炭化水素アミン塩との混合物を含む銀摩耗防護添加剤組成物、および
（Ｃ）一種もしくは二種以上の清浄剤。
【請求項２】
潤滑油組成物中の（Ｂ）の銀摩耗防護添加剤組成物と（Ｃ）の一種もしくは二種以上の清浄剤との比が、潤滑油組成物の全質量に基づき０．０１：１０質量％乃至５：１０質量％の範囲にある請求項１に記載の潤滑油組成物。
【請求項３】
潤滑油組成物中の（Ｂ）の銀摩耗防護添加剤組成物と（Ｃ）の一種もしくは二種以上の清浄剤との比が、潤滑油組成物の全質量に基づき０．０５：１０質量％乃至３：１０質量％の範囲にある請求項２に記載の潤滑油組成物。
【請求項４】
潤滑油組成物中の（Ｂ）の銀摩耗防護添加剤組成物と（Ｃ）の一種もしくは二種以上の清浄剤との比が、潤滑油組成物の全質量に基づき０．１：１０質量％乃至１：１０質量％の範囲にある請求項３に記載の潤滑油組成物。
【請求項５】
（Ｂ）の銀摩耗防護添加剤組成物中の（ｉ）ジ−アルキルジ−チオリン酸の炭化水素アミン塩と（ii）酸性リン酸アルキルの炭化水素アミン塩との比が、ジ−アルキルジ−チオリン酸及び酸性リン酸アルキルの炭化水素アミン塩の全モル量に基づき８０：２０モル％乃至２０：８０モル％の範囲にある請求項１に記載の潤滑油組成物。
【請求項６】
（Ｂ）の銀摩耗防護添加剤組成物中の（ｉ）ジ−アルキルジ−チオリン酸の炭化水素アミン塩と（ii）酸性リン酸アルキルの炭化水素アミン塩との比が、ジ−アルキルジ−チオリン酸及び酸性リン酸アルキルの炭化水素アミン塩の全モル量に基づき６０：４０モル％乃至４０：６０モル％の範囲にある請求項５に記載の潤滑油組成物。
【請求項７】
（Ｂ）の銀摩耗防護添加剤組成物中の（ｉ）ジ−アルキルジ−チオリン酸の炭化水素アミン塩と（ii）酸性リン酸アルキルの炭化水素アミン塩との比が、ジ−アルキルジ−チオリン酸及び酸性リン酸アルキルの炭化水素アミン塩の全モル量に基づき５０：５０モル％である請求項６に記載の潤滑油組成物。
【請求項８】
（Ｂ）のジ−アルキルジ−チオリン酸の炭化水素アミン塩が、モノ−チオリン酸を本質的に含まない請求項１に記載の潤滑油組成物。
【請求項９】
（Ｂ）のジ−アルキルジ−チオリン酸および酸性リン酸アルキルのアルキル基が独立に、直鎖又は分枝鎖アルキル基である請求項１に記載の潤滑油組成物。
【請求項１０】
ジ−アルキルジ−チオリン酸および酸性リン酸アルキルのアルキル基が直鎖アルキル基である請求項９に記載の潤滑油組成物。
【請求項１１】
（Ｂ）のジ−アルキルジ−チオリン酸および酸性リン酸アルキルのアルキル基が独立に、炭素原子数３〜炭素原子数４０である請求項１に記載の潤滑油組成物。
【請求項１２】
ジ−アルキルジ−チオリン酸および酸性リン酸アルキルのアルキル基が独立に、炭素原子数３〜炭素原子数２０である請求項１１に記載の潤滑油組成物。
【請求項１３】
ジ−アルキルジ−チオリン酸および酸性リン酸アルキルのアルキル基が独立に、炭素原子数４〜炭素原子数１０である請求項１２に記載の潤滑油組成物。
【請求項１４】
（Ｂ）の炭化水素アミンの炭化水素基が脂肪族基である請求項１に記載の潤滑油組成物。
【請求項１５】
脂肪族基がアルキル基またはアルケニル基である請求項１４に記載の潤滑油組成物。
【請求項１６】
炭化水素アミンのアルキル基またはアルケニル基が、炭素原子数８〜炭素原子数４０である請求項１４に記載の潤滑油組成物。
【請求項１７】
炭化水素アミンのアルキル基またはアルケニル基が、炭素原子数１２〜炭素原子数２０である請求項１６に記載の潤滑油組成物。
【請求項１８】
（Ｂ）のジ−アルキルジ−チオリン酸及び酸性リン酸アルキルの炭化水素アミン塩が、一炭化水素アミン塩、二炭化水素アミン塩、三炭化水素アミン塩またはそれらの混合物である請求項１に記載の潤滑油組成物。
【請求項１９】
ジ−アルキルジ−チオリン酸及び酸性リン酸アルキルの炭化水素アミン塩が、一炭化水素アミン塩である請求項１８に記載の潤滑油組成物。
【請求項２０】
（Ｂ）のジ−アルキルジ−チオリン酸のアルキル基がｎ−ヘキシルであり、酸性リン酸アルキルのアルキル基がｎ−ブチルであり、そして炭化水素アミンの炭化水素基がオレイルである請求項１に記載の潤滑油組成物。
【請求項２１】
（Ｃ）の一種もしくは二種以上の清浄剤が、中過塩基性硫化金属清浄剤と高過塩基性硫化炭酸塩化金属清浄剤との混合物である請求項１に記載の潤滑油組成物。
【請求項２２】
金属がアルカリ金属またはアルカリ土類金属である請求項２１に記載の潤滑油組成物。
【請求項２３】
金属がアルカリ土類金属である請求項２２に記載の潤滑油組成物。
【請求項２４】
アルカリ土類金属がカルシウムまたはマグネシウムである請求項２３に記載の潤滑油組成物。
【請求項２５】
清浄剤が、中過塩基性硫化カルシウムアルキルフェネートと高過塩基性硫化炭酸塩化カルシウムアルキルフェネートとの混合物である請求項２１に記載の潤滑油組成物。
【請求項２６】
潤滑油組成物の全塩基価が５乃至３０の範囲にある請求項２１に記載の潤滑油組成物。
【請求項２７】
全塩基価が、全潤滑油組成物に基づき１５乃至２５の範囲にある請求項２６に記載の潤滑油組成物。
【請求項２８】
潤滑油組成物が更に、分散剤、酸化防止剤、粘度指数向上剤および腐食防止剤からなる群より選ばれる一種もしくは二種以上の潤滑油添加剤を含む請求項１に記載の潤滑油組成物。
【請求項２９】
潤滑油組成物が更に一種もしくは二種以上の分散剤を含む請求項２８に記載の潤滑油組成物。
【請求項３０】
分散剤が無灰分散剤である請求項２９に記載の潤滑油組成物。
【請求項３１】
無灰分散剤が無水コハク酸の誘導体である請求項３０に記載の潤滑油組成物。
【請求項３２】
潤滑油組成物が、ＥＭＤ２−５６７Ｃエンジン試験に合格するものである請求項１に記載の潤滑油組成物。
【請求項３３】
下記の成分を含む潤滑油濃縮物：
（Ａ）９０質量％乃至１０質量％の潤滑粘度の油、および
（Ｂ）１０質量％乃至９０質量％の、（ａ）（ｉ）ジ−アルキルジ−チオリン酸の炭化水素アミン塩と（ii）酸性リン酸アルキルの炭化水素アミン塩との混合物を含む銀摩耗防護添加剤組成物、および（ｂ）一種もしくは二種以上の清浄剤。
【請求項３４】
（Ｂ）のジ−アルキルジ−チオリン酸のアルキル基がｎ−ヘキシルであり、酸性リン酸アルキルのアルキル基がｎ−ブチルであり、そして炭化水素アミンの炭化水素基がオレイルである請求項３３に記載の潤滑油濃縮物。
【請求項３５】
（Ｂ）のジ−アルキルジ−チオリン酸の炭化水素アミン塩が、モノ−チオリン酸を本質的に含まない請求項３３に記載の潤滑油濃縮物。
【請求項３６】
潤滑油濃縮物が更に、分散剤、酸化防止剤、粘度指数向上剤および腐食防止剤からなる群より選ばれる一種もしくは二種以上の潤滑油添加剤を含む請求項３３に記載の潤滑油濃縮物。
【請求項３７】
潤滑油濃縮物が更に一種もしくは二種以上の分散剤を含む請求項３６に記載の潤滑油濃縮物。
【請求項３８】
ディーゼル機関車のクランクケースの銀軸受を保護する方法であって、銀軸受を請求項１に記載の潤滑油組成物と接触させることからなる方法。
【請求項３９】
ディーゼル機関車のクランクケースの銀軸受を保護する方法であって、銀軸受を請求項２０に記載の潤滑油組成物と接触させることからなる方法。
【請求項４０】
ディーゼル機関車のクランクケースの銀軸受を保護する方法であって、銀軸受を請求項２５に記載の潤滑油組成物と接触させることからなる方法。
【請求項４１】
下記の成分を含む銀面保護組成物：
（ｉ）ジ−アルキルジ−チオリン酸の炭化水素アミン塩と（ii）酸性リン酸アルキルの炭化水素アミン塩との混合物。
【請求項４２】
銀面保護組成物中の（ｉ）ジ−アルキルジ−チオリン酸の炭化水素アミン塩と（ii）酸性リン酸アルキルの炭化水素アミン塩との比が、ジ−アルキルジ−チオリン酸及び酸性リン酸アルキルの炭化水素アミン塩の全モル量に基づき８０：２０モル％乃至２０：８０モル％の範囲にある請求項４１に記載の銀面保護組成物。
【請求項４３】
銀面保護組成物が更に有機溶剤を含む請求項４１に記載の銀面保護組成物。
【請求項４４】
有機溶剤が、アルカノール、ハロゲン化炭化水素、エーテルまたはケトンからなる群より選ばれる請求項４３に記載の銀面保護組成物。